(57)【要約】【課題】架空主母線の保安停電を無くし、電力供給を確保できるとともに、停電に伴う損失を抑えることができる電気機器の据付工法を提供する。【解決手段】充電部が露出した架空母線５を有するガス絶縁開閉装置１にＧＣＢ２を据え付けるＧＣＢ２の据付工法において、搬入箇所にて輸送車両７に載置されたＧＣＢ２を輸送車両７の外部のジャッキアップ装置８により上昇させ輸送車両をＧＣＢ２の下部から移動させる工程と、ＧＣＢ２をジャッキアップ装置８により降下させコロ装置９上に載置する工程と、ＧＣＢ２をコロ装置９により水平移動させガス絶縁開閉装置１の据え付け箇所まで移動する工程と、ＧＣＢ２をジャッキアップ装置８により上昇させてＧＣＢ２のガス絶縁開閉装置１に対する設置位置に一致させて据え付けるものである。【選択図】図１
2008118802.tif 000002
【特許請求の範囲】
【請求項１】
充電部が露出した架空母線を有する電気設備に電気機器を据え付ける電気機器の据付工法において、搬入箇所にて輸送車両に載置された上記電気機器を上記輸送車両の外部の昇降機により上昇させ上記輸送車両を上記電気機器の下部から移動させる工程と、上記電気機器を上記昇降機により降下させ水平移動機上に載置する工程と、上記電気機器を上記水平移動機により水平移動させ上記電気設備の据え付け箇所まで移動する工程と、上記電気機器を昇降機により上昇させて上記電気機器の上記電気設備に対する設置位置に一致させて据え付ける工程とを備えたことを特徴とする電気機器の据付工法。
【請求項２】
充電部が露出した架空母線を有する電気設備に据え付けられている電気機器を撤去する電気機器の撤去工法において、撤去する上記電気機器を昇降機により保持して水平移動して上記電気機器を上記電気設備から切り離し移動可能な状態にする工程と、上記電気機器を昇降機により降下させて水平移動機上に載置する工程と、上記電気機器を上記水平移動機により水平移動させ運搬箇所まで移動する工程と、上記電気機器を昇降機により持ち上げる工程と、上記持ち上げられた上記電気機器の下部に輸送車両を侵入させ上記昇降機により上記電気機器を降下させて上記輸送車両に荷積みする工程とを備えたことを特徴とする電気機器の撤去工法。
【発明の詳細な説明】
【技術分野】
【０００１】
この発明は、充電部が露出した架空母線を有する電気設備において保安停電を行う必要のない電気機器の据付工法および電気機器の撤去工法に関するものである。
【背景技術】
【０００２】
従来から建設されてきた広大な敷地面積を必要とする大気絶縁方式の発・変電所に代わって、優れた絶縁性能を有する六ふっ化硫黄（ＳＦ６）ガスを使用したＧＩＳ（ガス絶縁変電所：ＧＡＳ  ＩＮＳＵＬＡＴＥＤ  ＳＵＢＳＴＡＴＩＯＮ）および単体構成の遮断器等が建設されるようになってきた。このようなＧＩＳは、遮断器（ＣＢ）、断路器（ＤＳ）、変流器（ＣＴ）、計器用変圧器（ＰＴ）、避雷器（ＬＡ）、ブッシング（ＢＳＧ）等の機器により構成されている。そして、充電部を金属容器内に収納し、その内部空間に加圧したＳＦ６ガスを封入し密閉してなるガス絶縁電気機器が、敷地内に施工されたコンクリート躯体上に複合的にかつ効率的にレイアウトされて据え付けられている。そして、送電線を介して送られてくる大電力がブッシングを介して受電され、複合的にレイアウトされたガス絶縁電気機器を介して変圧器に導かれ、所定の電力に変圧される。このようなＧＩＳにおける各電気機器の据え付けや撤去は、電気機器をクレーンで吊り上げてのレッカー工法により行っていた（例えば、特許文献１参照）。
【０００３】
【特許文献１】特開平９−１６３５２７号公報
【発明の開示】
【発明が解決しようとする課題】
【０００４】
従来の電気機器の据付工法および電気機器の撤去工法は、クレーンにより電気機器を吊り上げるレッカー工法を採用しているので、工事期間中は充電部が露出した架空主母線との電気的安全距離を確保できないため、架空主母線の保安停電が必要となる。そこで、電力供給の確保のためには送電系統の停電が極めて困難であり、停電が工事上大きな問題となるという問題点があった。また、停電に伴い低下する供給信頼度を確保するための運用コストの損失が甚大であるという問題点があった。
【０００５】
この発明は上記のような課題を解決するためになされたものであり、電気機器の据え付け作業および撤去作業における架空主母線の保安停電を無くし、電力供給を確保できるとともに、停電に伴う損失を抑えることができる電気機器の据付工法および電気機器の撤去工法を提供することを目的とする。
【課題を解決するための手段】
【０００６】
この発明は、充電部が露出した架空母線を有する電気設備に電気機器を据え付ける電気機器の据付工法において、搬入箇所にて輸送車両に載置された電気機器を輸送車両の外部の昇降機により上昇させ輸送車両を電気機器の下部から移動させる工程と、電気機器を昇降機により降下させ水平移動機上に載置する工程と、電気機器を水平移動機により水平移動させ電気設備の据え付け箇所まで移動する工程と、電気機器を昇降機により上昇させて電気機器の電気設備に対する設置位置に一致させて据え付ける工程とを備えたものである。
【０００７】
またこの発明は、充電部が露出した架空母線を有する電気設備に据え付けられている電気機器を撤去する電気機器の撤去工法において、撤去する電気機器を昇降機により上昇させ電気機器を電気設備から切り離し移動可能な状態にする工程と、電気機器を昇降機により降下させて水平移動機上に載置する工程と、電気機器を水平移動機により水平移動させ運搬箇所まで移動する工程と、電気機器を昇降機により持ち上げる工程と、持ち上げられた電気機器の下部に輸送車両を侵入させ昇降機により電気機器を降下させて輸送車両に荷積みする工程とを備えたものである。
【発明の効果】
【０００８】
この発明の電気機器の据付工法は、充電部が露出した架空母線を有する電気設備に電気機器を据え付ける電気機器の据付工法において、搬入箇所にて輸送車両に載置された電気機器を輸送車両の外部の昇降機により上昇させ輸送車両を電気機器の下部から移動させる工程と、電気機器を昇降機により降下させ水平移動機上に載置する工程と、電気機器を水平移動機により水平移動させ電気設備の据え付け箇所まで移動する工程と、電気機器を昇降機により上昇させて電気機器の電気設備に対する設置位置に一致させて据え付ける工程とを備えたので、架空主母線の保安停電を無くし、電力供給を確保できるとともに、停電に伴う損失を抑えることができる。
【０００９】
この発明の電気機器の撤去工法は、充電部が露出した架空母線を有する電気設備に据え付けられている電気機器を撤去する電気機器の撤去工法において、撤去する電気機器を昇降機により保持して水平移動して電気機器を電気設備から切り離し移動可能な状態にする工程と、電気機器を昇降機により降下させて水平移動機上に載置する工程と、電気機器を水平移動機により水平移動させ運搬箇所まで移動する工程と、電気機器を昇降機により持ち上げる工程と、持ち上げられた電気機器の下部に輸送車両を侵入させ昇降機により電気機器を降下させて輸送車両に荷積みする工程とを備えたので、架空主母線の保安停電を無くし、電力供給を確保できるとともに、停電に伴う損失を抑えることができる。
【発明を実施するための最良の形態】
【００１０】
実施の形態１．
以下、本願発明の実施の形態について説明する。図１はこの発明の実施の形態１における電気機器の据付工法および電気機器の撤去工法が行われる電気設備の全体構成を示す平面図、図２は図１に示した電気設備の全体構成を示す側面図、図３は実施の形態１における電気機器の据付工法および電気機器の撤去工法が行われる電気設備のジャッキアップの状態を示す図、図４は実施の形態１における撤去又は据付する電気設備の輸送車両への積み込み又は荷降ろし方法を示す図である。図において、電気設備としてのガス絶縁開閉装置１には、撤去又は据付を行うＧＣＢ（ガス遮断器：ＧＡＳ  ＣＩＲＣＵＩＴ  ＢＲＥＡＫＥＲ）２と、架空地線３と、架空送電線４と、充電部が露出している架空主母線５と、鉄構６とを備えている。また、ＧＣＢ２の輸送を行うための輸送車両７と、ＧＣＢ２の昇降を行うための昇降装置としてのジャッキアップ装置８と、ＧＣＢ２の水平移動を行うための水平移動機としてのコロ引きを行うためのコロ装置９とを用いる。
【００１１】
次に上記のように構成された電気設備の実施の形態１における電気機器の据付工法および電気機器の撤去工法について説明する。まず、ＧＣＢ２の撤去工法について説明する。ガス絶縁開閉装置１に設置されて使用されてきたＧＣＢ２はガス絶縁開閉装置１の構成機器の一つとしてガス絶縁開閉装置１に接続されている。このＧＣＢ２にジャッキアップ装置８を装着して、ＧＣＢ２を保持して基礎との固定を切り離して水平移動可能な状態にする（図３（ｂ）の左部分を示す）。次に、ＧＣＢ２はガス絶縁開閉装置１より切り離されＧＣＢ２はジャッキアップ装置８により降下させてコロ装置９上に載置する。次に。コロ装置９によりＧＣＢ２を水平移動させて、輸送車両７が侵入可能な位置すなわち運搬箇所まで移動する。次に、輸送車両７が侵入可能な位置まで運搬したＧＣＢ２は、ジャッキアップ装置８を使用して輸送車両７の荷台部分がＧＣＢ２の下部に侵入可能な空間を確保できるまでＧＣＢ２をジャッキアップ装置８により上昇させる（図３（ａ）、（ｂ）の右部分、（ｃ））。次に、この空間に輸送車両７の荷台部分を移動させＧＣＢ２の下部に挿入させ、ＧＣＢ２をジャッキアップ装置８により降下させて輸送車両７に荷積みする（図４）。
【００１２】
次に、ＧＣＢ２の据付工法について説明する。尚、基本的には上記に示した撤去工法と逆の手順を繰り返せばよい。すなわち、まず工場で組み立てられたＧＣＢ２を輸送車両７に載置してガス絶縁開閉装置１の搬入箇所まで輸送する（ガス絶縁開閉装置１の近傍まで輸送車両７に積載したまま搬入する）。そして輸送車両７に積載したままのＧＣＢ２にジャッキアップ装置８を装着して輸送車両７の荷台部分から若干持ち上げる（図４）。その後、輸送車両７を移動させてその荷台部分をＧＣＢ２の下部から移動させる（図３（ａ）、（ｂ）の右部分、（ｃ））。次に、下部に輸送車両７の荷台部分が無くなったＧＣＢ２はジャッキアップ装置８により地上レベルまで降下させコロ装置９に載置する。
【００１３】
次に、ＧＣＢ２はガス絶縁開閉装置１の据え付け箇所までコロ装置９によりコロ引きにて水平移動する。次に、ジャッキアップ装置８によりＧＣＢ２を上昇させガス絶縁開閉装置１との接続位置を調整し接続する。次に、ガス絶縁開閉装置１との接続が完了した後、ジャッキアップ装置８をＧＣＢ２より取り外して更新作業を完了する。よって、ＧＣＢ２の撤去・据え付け作業においてジャッキアップ装置８を使用してガス絶縁開閉装置１からの解体、輸送車両７への荷積み、輸送車両７からの荷降ろし、ガス絶縁開閉装置１への組み立てを実施する際において、ガス絶縁開閉装置１の上部への飛び出しがほとんどないため、充電部が露出している架空主母線５との電気的安全離隔距離を十分確保している。
【００１４】
上記のように行われた実施の形態１における電気機器の据付工法および電気機器の撤去工法によれば、従来のレッカー工法のように、撤去又は据付を行うＧＣＢにワイヤロープを引っ掛けてクレーンにより吊り上げる必要がなく、ＧＣＢの上端部と充電部が露出した架空主母線との間の電気的安全距離が十分に確保できるためフラッシュオーバー等の不具合が発生しない。そこで、工事期間中は架空主母線の保安停電が不要となり、ＧＣＢの撤去／据付作業における無停電化工法が可能となり電力供給を確保できるとともに、停電に伴う損失を抑えることができる。
【００１５】
尚、上記実施の形態１ではＧＣＢの撤去／据付作業における無停電化工法について説明したが、ガス絶縁開閉装置を構成する他の電気機器、例えば、遮断器（ＣＢ）、断路器（ＤＳ）、変流器（ＣＴ）、計器用変圧器（ＰＴ）、避雷器（ＬＡ）の撤去／据付作業においても同様の動作を行えば同等の効果が得られることは言うまでもない。
【図面の簡単な説明】
【００１６】
【図１】この発明の実施の形態１の電気機器の据付工法および電気機器の撤去工法が行われる電気設備の全体構成を示す平面図である。
【図２】図１に示した電気設備の全体構成を示す側面図である。
【図３】実施の形態１における電気機器の据付工法および電気機器の撤去工法が行われる電気機器のジャッキアップの昇降状態を示す図である。
【図４】実施の形態１における電気機器の据付工法および電気機器の撤去工法が行われる電気機器の輸送車両への積み込み又は荷降ろしの状態を示す図である。
【符号の説明】
【００１７】
１  ガス絶縁開閉装置、２  ＧＣＢ、５  架空主母線、７  輸送車両、
８  ジャッキアップ装置、９  コロ装置。
【図１】
2008118802.tif 000003
【図２】
2008118802.tif 000004
【図３】
2008118802.tif 000005
【図４】
2008118802.tif 000006